(57)【要約】      （修正有）【課題】涼しげな雰囲気を演出できる茶器セット、及び高茶台を提供する。【解決手段】お椀形状で、底面に円形の凸部１１２が設けられた湯呑み１１０と、湯呑みを載せる皿部１２２を有する高茶台１２０と、を備える茶器セット１００であって、皿部の略中央には、凸部と嵌合可能である開口部１２１が設けられ、開口部に凸部を嵌めて、湯呑みを皿部に載せることで、高茶台が湯呑みを支持する。湯呑み及び高茶台は、ガラス製であるのが好ましい。【選択図】図２
0003192883.tif 000002
【実用新案登録請求の範囲】
【請求項１】
お椀形状で、底面に円形の凸部が設けられた湯呑みと、
前記湯呑みを載せる皿部を有する高茶台と、
を備える茶器セットであって、
前記皿部における略中央には、前記凸部と嵌合可能である開口部が設けられ、
前記開口部に前記凸部を嵌めて、前記湯呑みを前記皿部に載せることで、前記高茶台が前記湯呑みを支持可能であることを特徴とする茶器セット。
【請求項２】
請求項１に記載の茶器セットにおいて、
前記湯呑み及び前記高茶台は、ガラス製であることを特徴とする茶器セット。
【請求項３】
請求項１または２に記載の茶器セットにおいて、
前記開口部の形状は、前記湯呑みのお椀状の開口端よりも小さく、且つ前記凸部の直径よりも大きい直径を有する円形であることを特徴とする茶器セット。
【請求項４】
請求項１乃至３のいずれか１つに記載の茶器セットを構成する高茶台であって、
冷茶用であることを特徴とする高茶台。
【考案の詳細な説明】
【技術分野】
【０００１】
本考案は、高茶台、及び高茶台と湯呑みを備える茶器セットに関し、特に、仏具における冷茶用の茶器セット、及び高茶台に関する。
【背景技術】
【０００２】
仏具の茶器セットは、御坊様にお菓子とともにお茶を提供するためなどに用いられる。従来、仏具の茶器セットは、木製であったり漆器であったりすることが一般的である。一方、材質が木製であったり漆器であったりする茶器セットは、冷茶用とする場合に、涼しげな雰囲気に乏しい。
【先行技術文献】
【特許文献】
【０００３】
【特許文献１】特開２０１１−１８９１０８号公報
【考案の概要】
【考案が解決しようとする課題】
【０００４】
本考案は、涼しげな雰囲気を演出する材質で製造できる茶器セット、及び高茶台を提供することを目的とする。
【課題を解決するための手段】
【０００５】
第１の考案は、
お椀形状で、底面に円形の凸部が設けられた湯呑みと、
前記湯呑みを載せる皿部を有する高茶台と、
を備える茶器セットであって、
前記皿部における略中央には、前記凸部と嵌合可能である開口部が設けられ、
前記開口部に前記凸部を嵌めて、前記湯呑みを前記皿部に載せることで、前記高茶台が前記湯呑みを支持可能であることを特徴とする。
【０００６】
第２の考案は、第１の考案に係る茶器セットにおいて、
前記湯呑み及び前記高茶台は、ガラス製であることを特徴とする。
【０００７】
第３の考案は、第１または第２の考案に係る茶器セットにおいて、
前記開口部の形状は、前記湯呑みのお椀状の開口端よりも小さく、且つ前記凸部の直径よりも大きい直径を有する円形であることを特徴とする。
【０００８】
第４の考案は、第１乃至第３の考案に係る茶器セットのいずれか１つを構成する高茶台であって、
冷茶用であることを特徴とする。
【考案の効果】
【０００９】
本考案によると、ガラスなどの材質で茶器セット、及び高茶台を製造することできる。そのため、涼しげな雰囲気を演出する茶器セット、及び高茶台を提供できる。
【図面の簡単な説明】
【００１０】
【図１】本考案に係る茶器セットの斜視図である。
【図２】本考案に係る高茶台と湯呑みの斜視図である。
【図３】本考案に係る高茶台と湯呑みの側面断面図である。
【考案を実施するための形態】
【００１１】
仏具の茶器セットは、御坊様にお菓子とともにお茶を提供するためなどに用いられる。仏具の茶器セットは、木製であったり漆器であったりすることが一般的である。一方、冷茶用の茶器セットは、木製であったり漆器であったりすると、涼しげな雰囲気に乏しい。そこで、本考案者は、涼しげな雰囲気を演出するために、茶器セットをガラス製で製造することを着想した。
【００１２】
ガラス製の茶器セットは、一般的な木製や漆器の茶器セットよりも割れやすいことが想定される。たとえば、ガラス製の湯呑みを置くときに高茶台にぶつけて割れたり、湯呑みを置いた高茶台がぐらついて割れたりする危険性がある。そこで、本考案者は、安定性の高い構造を有する高茶台を考案した。
【００１３】
仏具の茶器セットは、通常、お茶を入れる湯呑みと、湯呑みを置くための高茶台とを備える。高茶台は、湯呑みを置くための皿と、皿の底面から皿を支持する支持足を有する。支持足を有する高茶台によって、例えば御坊様が畳の上で正座しながらお茶を飲むとき、湯呑みを畳よりも高い位置に置くことができる。
【００１４】
ここで、高茶台をガラス製で製造する場合、一般的な木製や漆器とは製造工程が大幅に異なるため、一般的な高茶台と同様の形状では、頑強な高茶台を製造し難い。特に、高茶台の皿と支持足とを分離して形成すると、頑強性を維持し難い。そこで、本考案者は、皿と支持部とを一体的に形成できる構造を有する高茶台を考案した。
【００１５】
以下、本考案に係る茶器セットおよび高茶台を、図面を用いて説明する。
【００１６】
図１は、本考案に係る茶器セットの斜視図である。図２は、本考案に係る高茶台と湯呑みの斜視図である。
【００１７】
茶器セット１００は、湯呑み１１０と、高茶台１２０とを備える。本実施形態において、湯呑み１１０及び高茶台１２０は、ガラス製である。茶器セット１００は、御坊様にお茶を提供するためなどに用いられ、畳などの水平面上に高茶台１２０を置いて使用される。
【００１８】
本実施形態において、各図の紙面左右方向が水平方向であり、各図の紙面上下方向が鉛直方向であるとする。図１において、湯呑み１１０及び高茶台１２０を、それぞれの底面を下方向に向けて図示している。
【００１９】
図１は、高茶台１２０の上に湯呑み１１０を載せた状態を示す。図２は、高茶台１２０から湯呑み１１０を取り上げた状態を示す。茶器セット１００は、水平面上に置かれた高茶台１２０の上に、冷茶などの液体の入った湯呑み１１０を図１に示すように載せたり、図２に示すように取り上げたりして、使用される。
【００２０】
本考案に係る茶器セット１００は、図１に示すように湯呑み１１０を高茶台１２０の上に載せたとき、高茶台１２０の開口部１２１（図２参照）に湯呑み１１０の底部が嵌る。そのため、高茶台１２０は湯呑み１１０を安定して支持できる。また、このとき、湯呑み１１０の底部は、高茶台１２０の開口部１２１に緩やかに嵌る。そのため、高茶台１２０に載せた湯呑み１１０を取り上げ易く、使い勝手が良い。
【００２１】
湯呑み１１０の形状はお椀状であり、湯呑み１１０は、円形の開口端である口部１１１を有する。湯呑み１１０の口部１１１の内部に茶などの液体を溜めることができる。湯呑み１１０の底面には、高台１１２が設けられている。高台１１２は、口部１１１の円形と同軸上に設けられた円形の凸部である。高台１１２の直径は、口部１１１の直径よりも小さい。
【００２２】
湯呑み１１０の口部１１１は、使用者がお茶を飲みやすいように、反り返っている。なお、湯呑み１１０の口部１１１は、端部を波打った形状で形成してもよい。
【００２３】
高茶台１２０は、皿部１２２と、支持部１２３とを備える。皿部１２２の形状は、円形の皿形状であって、円形の中心に向けて略一定の傾斜で窪んでいる。皿部１２２の中央には、開口部１２１が設けられている。開口部１２１の形状は、皿部１２２と同心円の円形であって、皿部１２２の直径よりも小さい円形である。
【００２４】
支持部１２３は、高茶台１２０が水平面上に置かれたときに皿部１２２を水平に向けるように支持する。支持部１２３の形状は、中空の略円錐状である（図３参照）。支持部１２３の底面は、皿部１１１と同軸上の円形平面である。支持部１２３の底面の直径は、皿部１２２の直径よりも小さい。
【００２５】
本考案に係る高茶台１２０は、皿部１２２と支持部１２３とが一体的に形成された構造である。具体的には、皿部１２２の中央に設けられた開口部１２１において、皿部１２２と支持部１２３とが連続的に結合している。開口部１２１の直径は、支持部１２３の底面の直径よりも小さい。
【００２６】
図３は、本考案に係る茶器セットの側面断面図である（Ａ−Ａ’断面）。図３に示すように、高茶台１２０の開口部１２１の直径は、湯呑み１１０の高台１１２の直径よりも大きく、且つ湯呑み１１０の口部１１１の直径よりも小さい。そのため、図１に示すように湯呑み１１０を高茶台１２０に載せると、湯呑み１１０の高台１１２が開口部１２１の内側に入り、湯呑み１１０の側面と、皿部１２２における開口部１２１の内周面とが接する。これにより、湯呑み１１０が高茶台１２０の開口部１２１に緩やかに嵌って固定され、湯呑み１１０を安定して支持することができる。
【００２７】
また、皿部１２２における開口部１２１の内周面は、湯呑み１１０お椀状の側面よりも急峻に湾曲しており、支持部１２３の円錐面に連続的に結合している。これにより、湯呑み１１０を高茶台１２０に載せるとき、湯呑み１１０の高台１１２が高茶台１２０に当たりにくくなり、湯呑み１１０と高茶台１２０をぶつけて割れるおそれを低減できる。
【００２８】
以上のように構成された茶器セット１００によると、湯呑み１１０を載せる皿部１２２と支持部１２３とが一体的に形成されているため、涼しげな雰囲気を演出できるガラス製で製造することに好適である。なお、本考案に係る茶器セットを構成する湯呑み、及び高茶台は、冷茶用の耐冷性の素材（ガラス、樹脂等）で製造されてもよい。例えば、本考案に係る茶器セットを透明樹脂等の樹脂材料で構成してもよい。
【００２９】
湯呑み１１０の寸法は、例えば、口部１１１の直径が９３ｍｍであり、高台１１２の直径が４０ｍｍであり、湯呑み１１０の高さが７５ｍｍである。高茶台１２０の寸法は、例えば、開口部１２１の直径が４１ｍｍであり、皿部１２２の直径が１４０ｍｍであり、支持部１２３の底面の直径が７５ｍｍであり、高茶台１２０の高さが６５ｍｍである。
【００３０】
湯呑み１１０の口部１１１の直径が９３ｍｍで、高台１１２の直径が４０ｍｍで、高茶台１２０の開口部１２１の直径が４１ｍｍとすることにより、好適な隙間を有して湯呑み１１０の高台１１２が高茶台１２０の開口部１２１に嵌り、使い勝手が良い。しかしながら、本考案に係る茶器セットの寸法は、これに限らない。高台１１２が開口部１２１に嵌る寸法であればよい。
【符号の説明】
【００３１】
１００      茶器セット
１１０      湯呑み
１１１      口部
１１２      高台
１２０      高茶台
１２１      開口部
１２２      皿部
１２３      支持部
【図１】
0003192883.tif 000003
【図２】
0003192883.tif 000004
【図３】
0003192883.tif 000005